(57)【要約】【課題】テレビ放送の番組等と連動して表示の更新が可能であり、かつ通信データ量を少なくできる表示処理システムを提供すること。【解決手段】携帯電話１はサーバ２にページを要求し、無期限に待つ。サーバ２は、ページ要求を記録し、例えば番組と連動してページを更新した場合に、ページ要求している携帯電話１にページを送信すると共にページ要求をクリアする。携帯電話１においては受信したページを表示すると共に次のページデータを要求する。ユーザは一度サーバにアクセスすれば、例えば番組と連動して携帯電話の表示の自動更新が可能となり、操作性が向上すると共に番組との同期が確実に取れる。また、通信料金を従来の方法よりも大幅に低減できる。従って、携帯電話機を、番組と連動して文字や静止画像を表示するテレビの副画面として利用できる。【選択図】図１
2005333398.tif 000002
【特許請求の範囲】
【請求項１】
情報処理機能とデータ通信機能を有する携帯端末において、
通信網を介して所定のサーバ装置に表示用のページデータを要求するページ要求手段と、
要求した前記ページデータが受信されるまで無期限に待つ待機手段と、
受信された前記ページデータを表示する表示手段と、
前記ページデータが受信された場合に、次のページデータを要求するために前記ページ要求手段を起動する次ページ要求手段と
を備えたことを特徴とする携帯端末。
【請求項２】
情報処理機能とデータ通信機能を有する携帯端末のコンピュータを、
通信網を介して所定のサーバ装置に表示用のページデータを要求するページ要求手段、
要求した前記ページデータが受信されるまで無期限に待つ待機手段、
受信された前記ページデータを表示する表示手段、
前記ページデータが受信された場合に、次のページデータを要求するために前記ページ要求手段を起動する次ページ要求手段
として機能させることを特徴とする表示処理プログラム。
【請求項３】
通信網を介して携帯端末と通信可能なサーバ装置において、
前記携帯端末から送信されたページ要求を記録するページ要求記録手段と、
ページデータを更新するページ更新手段と、
前記ページ更新手段によって前記ページデータが更新された場合に、前記ページ要求記録手段に記録されている携帯端末に更新された前記ページデータを送信する更新ページ送信手段と、
前記更新ページ送信手段によってページデータが送信された携帯端末について前記ページ要求記録手段内のページ要求をクリアする要求クリア手段と
を備えたことを特徴とするサーバ装置。
【請求項４】
更に、前記携帯端末からのページ要求が初めてか否かを判定し、初めての場合には、現在のページデータを直ちに送信する初回ページ送信手段を備えたことを特徴とする請求項３に記載のサーバ装置。
【請求項５】
通信網を介して携帯端末と通信可能なサーバ装置のコンピュータを、
前記携帯端末から送信されたページ要求を記録するページ要求記録手段、
ページデータを更新するページ更新手段、
前記ページ更新手段によって前記ページデータが更新された場合に、前記ページ要求記録手段に記録されている携帯端末に更新された前記ページデータを送信する更新ページ送信手段、
前記更新ページ送信手段によってページデータが送信された携帯端末について前記ページ要求記録手段内のページ要求をクリアする要求クリア手段
として機能させることを特徴とする表示処理プログラム。
【請求項６】
更に、前記携帯端末からのページ要求が初めてか否かを判定し、初めての場合には、現在の前記ページデータを直ちに送信する初回ページ送信手段として機能させるプログラムを備えたことを特徴とする請求項５に記載の表示処理プログラム。
【請求項７】
通信網を介して所定のサーバ装置に表示用のページデータを要求するページ要求手段と、要求した前記ページデータが受信されるまで無期限に待つ待機手段と、受信された前記ページデータを表示する表示手段と、前記ページデータが受信された場合に、次のページデータを要求するために前記ページ要求手段を起動する次ページ要求手段とを備えた、情報処理機能とデータ通信機能を有する携帯端末、
前記携帯端末から送信されたページ要求を記録するページ要求記録手段と、前記ページデータを更新するページ更新手段と、前記ページ更新手段によって前記ページデータが更新された場合に、前記ページ要求記録手段に記録されている携帯端末に更新された前記ページデータを送信する更新ページ送信手段と、前記更新ページ送信手段によってページデータが送信された携帯端末について前記ページ要求記録手段内のページ要求をクリアする要求クリア手段とを備えた、通信網を介して携帯端末と通信可能なサーバ装置
からなることを特徴とする表示処理システム。
【請求項８】
前記サーバ装置は更に、前記携帯端末からのページ要求が初めてか否かを判定し、初めての場合には、現在の前記ページデータを直ちに送信する初回ページ送信手段を備えたことを特徴とする請求項７に記載の表示処理システム。
【請求項９】
携帯端末が通信網を介して所定のサーバ装置に表示用のページデータを要求し、要求した前記ページデータが受信されるまで無期限に待つステップ、
前記サーバ装置において前記携帯端末から送信された前記ページ要求を記録するステップ、
前記サーバ装置において前記ページデータを更新するステップ、
前記ページデータが更新された場合に、記録されている前記ページ要求と対応する携帯端末に前記更新されたページデータを送信するステップ、
前記ページデータが送信された携帯端末について前記ページ要求をクリアするステップ、
前記携帯端末において受信された前記ページデータを表示すると共に次のページデータを要求するステップ
を含むことを特徴とする表示処理方法。
【請求項１０】
更に、前記サーバ装置において、前記携帯端末からの前記ページ要求が初めてか否かを判定し、初めての場合には、現在の前記ページデータを直ちに送信するステップを含むことを特徴とする請求項９に記載の表示処理方法。
【発明の詳細な説明】
【技術分野】
【０００１】
本発明は、携帯端末、表示処理プログラム、サーバ装置、表示処理システムおよび表示処理方法に関するものであり、特に、テレビ放送の番組等と連動して表示の更新が可能であり、かつ通信データ量を少なくできる携帯端末、表示処理プログラム、サーバ装置、表示処理システムおよび表示処理方法に関するものである。
【背景技術】
【０００２】
従来、テレビ等の放送番組とネットワークに接続された端末との連動システムが各種提案されている。例えば、下記の特許文献１には、メディア連動インターネットコンテンツ表示システムが開示されている。このシステムにおいては、例えばテレビで広告を視聴しているユーザが端末を操作することにより、該当する商品のホームページを表示させるようにしたものである。
【特許文献１】特開２００２−３１２６７９号公報
【発明の開示】
【発明が解決しようとする課題】
【０００３】
上記した従来の放送連動システムは、単に広告と関連するホームページを表示するという機能であり、ユーザ側の操作に基づいて必要な情報を取得するものである。従って、サーバ側から番組と連動して表示を更新することはできないという問題点があった。ブラウザを使用して端末側から頻繁にページの更新要求を行うか、あるいはストリーミングデータの配信を行うことも考えられるが、通信データ量が多くなり、従量制課金制度では多額の費用がかかってしまうという問題点もあった。
【０００４】
本発明の目的は、上記したような問題点を解決し、テレビ放送の番組等と連動して表示の更新が可能であり、かつ通信データ量を少なくできる携帯端末、表示処理プログラム、サーバ装置、表示処理システムおよび表示処理方法を提供することにある。
【課題を解決するための手段】
【０００５】
本発明の携帯端末は、情報処理機能とデータ通信機能を有する携帯端末において、通信網を介して所定のサーバ装置に表示用のページデータを要求するページ要求手段と、要求した前記ページデータが受信されるまで無期限に待つ待機手段と、受信された前記ページデータを表示する表示手段と、前記ページデータが受信された場合に、次のページデータを要求するために前記ページ要求手段を起動する次ページ要求手段とを備えたことを主要な特徴とする。
【０００６】
本発明の携帯端末用の表示処理プログラムは、情報処理機能とデータ通信機能を有する携帯端末のコンピュータを、通信網を介して所定のサーバ装置に表示用のページデータを要求するページ要求手段、要求した前記ページデータが受信されるまで無期限に待つ待機手段、受信された前記ページデータを表示する表示手段、前記ページデータが受信された場合に、次のページデータを要求するために前記ページ要求手段を起動する次ページ要求手段として機能させることを主要な特徴とする。
【０００７】
本発明のサーバ装置は、通信網を介して携帯端末と通信可能なサーバ装置において、前記携帯端末から送信されたページ要求を記録するページ要求記録手段と、ページデータを更新するページ更新手段と、前記ページ更新手段によって前記ページデータが更新された場合に、前記ページ要求記録手段に記録されている携帯端末に更新された前記ページデータを送信する更新ページ送信手段と、前記更新ページ送信手段によってページデータが送信された携帯端末について前記ページ要求記録手段内のページ要求をクリアする要求クリア手段とを備えたことを主要な特徴とする。
前記したサーバ装置は更に、前記携帯端末からのページ要求が初めてか否かを判定し、初めての場合には、現在のページデータを直ちに送信する初回ページ送信手段を備えていてもよい。
【０００８】
本発明のサーバ装置用の表示処理プログラムは、通信網を介して携帯端末と通信可能なサーバ装置のコンピュータを、前記携帯端末から送信されたページ要求を記録するページ要求記録手段、ページデータを更新するページ更新手段、前記ページ更新手段によって前記ページデータが更新された場合に、前記ページ要求記録手段に記録されている携帯端末に更新された前記ページデータを送信する更新ページ送信手段、前記更新ページ送信手段によってページデータが送信された携帯端末について前記ページ要求記録手段内のページ要求をクリアする要求クリア手段として機能させることを主要な特徴とする。
また、前記したサーバ装置用の表示処理プログラムは、更に、前記携帯端末からのページ要求が初めてか否かを判定し、初めての場合には、現在の前記ページデータを直ちに送信する初回ページ送信手段として機能させるプログラムを備えていてもよい。
【０００９】
本発明の表示処理システムは、通信網を介して所定のサーバ装置に表示用のページデータを要求するページ要求手段と、要求した前記ページデータが受信されるまで無期限に待つ待機手段と、受信された前記ページデータを表示する表示手段と、前記ページデータが受信された場合に、次のページデータを要求するために前記ページ要求手段を起動する次ページ要求手段とを備えた、情報処理機能とデータ通信機能を有する携帯端末、および前記携帯端末から送信されたページ要求を記録するページ要求記録手段と、前記ページデータを更新するページ更新手段と、前記ページ更新手段によって前記ページデータが更新された場合に、前記ページ要求記録手段に記録されている携帯端末に更新された前記ページデータを送信する更新ページ送信手段と、前記更新ページ送信手段によってページデータが送信された携帯端末について前記ページ要求記録手段内のページ要求をクリアする要求クリア手段とを備えた、通信網を介して携帯端末と通信可能なサーバ装置からなることを主要な特徴とする。
【００１０】
また、前記した表示処理システムにおいて、前記サーバ装置は更に、前記携帯端末からのページ要求が初めてか否かを判定し、初めての場合には、現在の前記ページデータを直ちに送信する初回ページ送信手段を備えていてもよい。
【００１１】
本発明の表示処理方法は、携帯端末が通信網を介して所定のサーバ装置に表示用のページデータを要求し、要求した前記ページデータが受信されるまで無期限に待つステップ、前記サーバ装置において前記携帯端末から送信された前記ページ要求を記録するステップ、前記サーバ装置において前記ページデータを更新するステップ、前記ページデータが更新された場合に、記録されている前記ページ要求と対応する携帯端末に前記更新されたページデータを送信するステップ、前記ページデータが送信された携帯端末について前記ページ要求をクリアするステップ、前記携帯端末において受信された前記ページデータを表示すると共に次のページデータを要求するステップを含むことを主要な特徴とする。
【００１２】
また、前記した表示処理方法は更に、前記サーバ装置において、前記携帯端末からの前記ページ要求が初めてか否かを判定し、初めての場合には、現在の前記ページデータを直ちに送信するステップを含んでいてもよい。
【発明の効果】
【００１３】
本発明は上記のような特徴によって、ユーザは一度サーバにアクセスすれば、テレビ放送の番組等と連動して携帯電話の表示の自動更新が可能となり、操作性が向上すると共に番組との同期が確実に取れるという効果がある。また、通信データ量は必要最小限で済むので、通信料金を従来の方法よりも大幅に低減できるという効果もある。従って、携帯電話機を、番組やＣＭと連動して文字や静止画像を表示するテレビの副画面として利用できる。
【発明を実施するための最良の形態】
【００１４】
以下、本発明を実施するための最良の形態について、図面を参照して詳細に説明する。本実施の形態では、携帯端末として携帯電話機を使用する例を開示する。但し、本発明はインターネットに接続してＷｅｂ閲覧が可能な任意の携帯端末について適用可能である。
【００１５】
まずシステム全体の構成について説明する。図１は、本発明の実施例のシステム全体を示す概略構成図である。このシステムは、携帯端末の一種である携帯電話１とサーバ２が携帯電話網５およびインターネット４を介して接続可能に構成されている。携帯電話網５は、基地局９、パケット交換処理を司るパケット網６、インターネット４に接続されたゲートウェイサーバ７とを備え、携帯電話１とインターネット４との接続を可能にする。携帯電話１は、たとえば、HTTP（Hyper Text Transfer Protocol）によりＷｅｂ閲覧を可能にするＷｅｂブラウザやメールの送受信を行うメーラを標準装備しており、更にアプリケーションプログラムをダウンロードして記憶可能である。
【００１６】
サーバ２はデータベース３を備え、Ｗｅｂサーバ、メールサーバ、アプリケーションサーバ等の機能を有する。サーバ２はインターネット４、携帯電話網５を介して携帯電話１やパソコンなどのその他の端末と通信可能であり、携帯電話１からのアクセスに応じて後述するような処理を行う。データベース３は、サーバ２に接続されたデータベースシステムであり、ダウンロード用アプリ、ユーザ関連データ、コンテンツデータ等の各種データを記憶すると共にサーバ２からの要求に基づきサーバ２に必要なデータを提供する。
【００１７】
ＴＶ放送局１０は、公知のテレビ番組の放送機能を有する。テレビ受信機１１は携帯電話１のユーザが所有する公知のテレビ受信機である。後述する本発明の方法によって、ユーザはテレビ受信機１１によって番組を見ながら、携帯電話１を使用して番組と関連する情報を番組と同期して自動的に取得することができる。
【００１８】
図２は、本実施の形態による携帯電話１の内部構成例を示すブロック図である。携帯電話１は、制御部２０、通信制御部２１、表示部２３、入力部２４、音声／サウンド制御部、時計部２８、カメラ部２９、記憶部３０を備え、各回路はバス２９によって接続されている。
【００１９】
情報処理機能を実現する制御部２０は、CPU、ROM、RAMなどを備え、ROMや記憶部３０に記憶された各種プログラムに従って携帯電話１全体の制御を行う。アプリケーションプログラムとしては、例えばＷｅｂ閲覧を制御するＷｅｂブラウザ、メールの送受信を制御するメーラープログラム、あるいはダウンロードされたアプリを実行可能である。記憶部３０は、例えば不揮発性のメモリからなり、上記した各種アプリやアプリで使用するデータ、待ち受け画像等の画像データ、着メロデータ、電話帳データなどをを記憶している。
【００２０】
アンテナ２２を備えた通信制御部２１は基地局との間のデータおよび音声通信機能を実行する。例えば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００２１】
音声／サウンド制御部２５は、スピーカ２６およびマイク２７が接続されており、呼出音、着信メロ等のサウンド出力や通話時の音声出力、およびマイク２７からの音声入力を実行する。時計部２８は制御部２０に現在時刻情報を提供する。この他、赤外線通信機能、近距離無線通信機能、カメラ機能、外部機器接続機能、（デジタル）テレビあるいは（デジタル）ラジオ受信機能、メモリカードスロット等を備えていてもよい。
【００２２】
図３は、本実施の形態によるサーバ２の内部構成例を示すブロック図である。サーバ２は、制御部４１、記憶部４２、通信制御部４３、データベースインターフェイス部４４、時計部４５等からなり、各回路はバス４６によって接続されている。制御部４１はCPU、ROM、RAMなどを備え、周知のＯＳ（Operating system）、サーバプログラムおよび本発明の機能を実現するプログラムを実行することにより、サーバ全体を制御する。
【００２３】
記憶部４２は例えばハードディスク装置を備え、ＯＳ、公知あるいは本発明による各種プログラム、データ等を記憶している。通信制御部４３は、図示しないルータやファイヤウォールサーバを介してインターネット４に接続され、インターネット４を介して携帯電話１などとの双方向通信を実行する。時計部４５は現在時刻を計時し、制御部４１に提供する。データベースインタフエース部４４はデ−タベース３に接続され、データベース２との間でデータ授受を行う。
【００２４】
以下に、本発明による番組連動処理の機能および動作を説明する。図４は、本発明の番組連動処理における携帯電話１およびサーバ２の処理内容を示すフローチャートである。縦線は時間の経過を示し、横点線は情報、データ、情報の移動を示している。
【００２５】
Ｓ１０においては、携帯端末においてブラウザを起動し、携帯端末からサーバ２にアクセスする。Ｓ１１においては、サーバにおいてユーザ登録処理が行われる。なお、携帯電話網のキャリアから認定された公式サイト（サーバ）であれば、アクセスしてきた携帯電話１のＵＩＤ（ユーザ固有の識別情報）を携帯電話網５から取得可能であるので、ユーザの特定（認証）が可能である。また、ユーザＩＤとパスワードによって認証を行ってもよい。Ｓ１２においては、携帯端末からの指示に基づきサーバから本発明のアプリをダウンロードする。Ｓ１３においては、携帯端末においてダウンロードしたアプリを記憶部に保存する。
【００２６】
次に、テレビ番組と連動して表示を行う場合の携帯端末側のアプリの処理について説明する。Ｓ２０においては、携帯端末においてアプリを起動する。Ｓ２１においては、アプリが特定のサーバにページを要求する。Ｓ２２においては、ユーザによる終了操作がなされたか否かによって、終了か否かが判定され、判定結果が肯定の場合にはアプリの処理を終了するが、否定の場合にはＳ２３に移行する。
【００２７】
Ｓ２３においては、ページデータを受信したか否かが判定され、判定結果が肯定の場合にはＳ２４に移行するが、否定の場合にはＳ２１に移行する。Ｓ２４においては、受信したページデータを表示してＳ２１に戻る。以上のように、本発明のアプリにおいては、ページを要求してからページデータが受信されるまで、タイムアウトすることなく無期限に待ち続ける。
【００２８】
次に、テレビ番組と連動して表示を行う場合のサーバ側の処理について説明する。なお、サーバにおいては、予め、番組の進行と連動して表示するページデータが作成、保存されており、かつどのページをどの時刻から表示するかを指定したタイムテーブルが作成されて保存されているものとする。
【００２９】
Ｓ３０においては、連動する番組の開始時刻になるまで待ち、Ｓ３１においては、最初のページデータを公開（要求により送信するページに指定）する。Ｓ３２以降は番組終了までの表示サイクルであり、Ｓ３２においては、携帯電話からのアクセスがあったか否かが判定され、判定結果が否定の場合にはＳ３７に移行するが、肯定の場合にはＳ３３に移行する。
【００３０】
Ｓ３３においては、配信テーブルにすでに当該ユーザのＵＩＤが登録されているか否かによって、初めてのアクセスか否かが判定され、判定結果が否定の場合にはＳ３６に移行するが、肯定の場合にはＳ３４に移行する。図５は、本発明による配信テーブルの構成を示す説明図である。配信テーブルのレコードには前記したＵＩＤ６０、次頁要求フラグ、携帯電話のＩＰアドレスの項目がある。Ｓ３４においては、配信テーブルに当該ユーザのレコードを追加登録する。Ｓ３５においては、現在公開中のページデータを送信してＳ３２に戻る。
【００３１】
番組内で２回目以降のアクセスの場合、Ｓ３６においては、配信テーブルの該当するユーザのレコードの次頁要求フラグを１（オン）にセットする。Ｓ３７においては、前記したタイムテーブルを参照して、番組と連動して表示するページの更新時刻が到来したか否かが判定され、判定結果が否定の場合にはＳ４１に移行するが、肯定の場合にはＳ３８に移行する。
【００３２】
Ｓ３８においては、公開（送信）するページデータを更新し、Ｓ３９においては、配信テーブルにおいて次頁要求フラグが１（オン）であるユーザの携帯電話に、更新されたページデータを配信する。携帯電話においては自動的に表示が更新される。Ｓ４０においては、配信したレコードの次頁要求フラグを０（クリア）にする。Ｓ４１においては、番組と連動する表示処理を終了するか否かが判定され、判定結果が否定の場合にはＳ３２に戻るが、肯定の場合には処理を終了する。以上のような構成および動作によって、テレビ放送等の番組と連動して表示の更新が可能であり、かつ通信データ量を少なくできる。
【００３３】
以上実施例を説明したが、本発明のには以下のような変形例も考えられる。実施例においては、放送番組との連動について説明したが、本発明のシステムは、コンサート、説明会、映画、演劇など携帯電話機を携帯して利用あるいは参加できる任意のイベントに利用可能である。更に、番組等と連動せずに、単独でも使用可能である。
【産業上の利用可能性】
【００３４】
本発明は、携帯電話機等の携帯端末、サーバ装置、携帯電話網、インターネット等を含むデータ通信システム、情報処理システムの産業分野で利用可能である。
【図面の簡単な説明】
【００３５】
【図１】本発明の実施例のシステム全体を示す概略構成図である。
【図２】本実施の形態による携帯電話の内部構成例を示すブロック図である。
【図３】本実施の形態によるサーバの内部構成例を示すブロック図である。
【図４】本発明の番組連動処理における携帯電話およびサーバの処理内容を示すフローチャートである。
【図５】本発明による配信テーブルの構成を示す説明図である。
【符号の説明】
【００３６】
１…携帯電話（携帯端末）
２…サーバ
３…データベース
４…インターネット
５…携帯電話網
６…パケット網
７…ゲートウェイサーバ
９…基地局
１０…ＴＶ放送局
１１…テレビ受信機
【図１】
2005333398.tif 000003
【図２】
2005333398.tif 000004
【図３】
2005333398.tif 000005
【図４】
2005333398.tif 000006
【図５】
2005333398.tif 000007